(57)【要約】【課題】多方向に送れる薬袋を安価に実現する。【解決手段】紙状体１５，１６を重ね合わせて開口部１１を形成した薬袋１０において、全体形状を矩形にし、開口部１１で紙状体１６の端１６ａを紙状体１５の端１５ａよりも後退させるとともに、その後退端１６ａに緩傾斜θで始まる指ぬき用切欠１６ｂを形成する。このように全体形状に加えて開口部の指ぬき用切欠の形状をも工夫したことにより、縦横いずれにの方向に送っても不都合の無いものとなる。【選択図】        図１
2004149204.tif 000002
【特許請求の範囲】
【請求項１】
紙状体を重ね合わせて開口部を形成した薬袋において、全体形状を矩形にし、前記開口部のところで前記紙状体の一方の端を後退させるとともに、その後退端に緩傾斜で始まる指ぬき用切欠を形成したことを特徴とする薬袋。
【発明の詳細な説明】
【０００１】
【発明の属する技術分野】
この発明は、病院や薬局等で薬品の収納に用いられる薬袋に関し、詳しくは、薬品収納に先だって薬剤情報や患者情報の印刷がなされる薬袋に関する。
【０００２】
【従来の技術】
薬袋は、薬剤情報等の印刷のために、紙状体から糊貼り等にて形成され、収納薬品の出し入れのために、開口部が形成されている。その印刷内容は、処方箋等に基づいて個々に異なるが、印刷の向きは、開口部を上にし底部を下にしたとき文字等が正立するようになっている。そして、その向きで印刷するときは紙送りも開口部を先にし底部を後にして行うというプリンタが一般的であった等のことから、先端部や開口部のところを工夫した薬袋が知られている。
例えば、移送方向の先端部の両サイドに面取りが施されている薬袋や（例えば特許文献１参照）、接着剤層に加えて抗接着層も設けることで開口部が開放可能に仮封止されている薬袋が（例えば特許文献２参照）、知られている。
【０００３】
【特許文献１】
特開平１１−１１４０１８号公報
【特許文献２】
特開２００２−３７２６７号公報
【０００４】
【発明が解決しようとする課題】
ところで、プリンタを装備して薬袋への印刷を行う薬袋印刷装置については、プリンタが一台のものから複数・多数のものまで種々開発されているが、設置面積の制約をクリアーする等のためには、何れもコンパクトに実装する必要があり、設置場所によっては薬袋移送経路が上下左右に折れ曲がらざるを得ないこともある。また、最近のプリンタでは、普及機でも、用紙の向きに縛られることなく印刷できるものが増えてきている。そこで、薬袋の向きが縦横いずれであっても印刷や移送が行えるようにすること、さらには移送途中で薬袋の向きを変えられるようにすることが望まれる。
【０００５】
ところが、上述したような従来の薬袋では、送り方向の固定が前提になっている。また、指ぬき用切欠については工夫がなされていない。すなわち、特開平１１−１１４０１８号公報では言及が無く、特開２００２−３７２６７号では、指掛かりとなる円弧状切欠が必要に応じて形成されると記載され、一般的な半円状切欠が図示されているにすぎない。
しかしながら、開口部の中央に半円状切欠があると、その始点部が直角かそれに近い角度になっているため、仮封止等にて対策済みの向きと異なる方向に紙送りされたとき、切欠の始点部が捲れる等の不都合が発生しやすい。
【０００６】
この場合、従来技術の応用として、指ぬき用切欠やその隣接箇所を仮封止することも考えられるが、指ぬきの機能が減殺されるうえ、コストもかかる。
そこで、薬袋の形状を工夫することで、安価に、縦横いずれの向きの紙送りにも適合する薬袋を案出することが、技術的な課題となる。
この発明は、このような課題を解決するためになされたものであり、多方向に送れる薬袋を実現することを目的とする。
【０００７】
【課題を解決するための手段】
このような課題を解決するためになされた本発明について、その構成および作用効果を以下に説明する。
【０００８】
この発明の薬袋は、出願当初の請求項１に記載の如く、一体で又は別体で表裏を成す紙状体を重ね合わせて縁部の貼付等も必要に応じて行って開口部を形成した薬袋において、全体形状を矩形にし、前記開口部のところで前記紙状体の一方の端を前記紙状体の他方の端よりも内側へ後退させるとともに、緩傾斜で始まる指ぬき用切欠を前記の後退端に形成したものである。
ここで、上記の「緩傾斜で始まる」とは、直線状の後退端に形成された切欠へ向けて後退端に沿って進行したときに、切欠の始点部で急に横を向くことが無いという意味であり、切欠に至って向きを変えながら更に進むときの直進方向からの傾きが直交方向より明らかに小さいことを要件とする。具体的には、直交方向の角度である９０゜と典型的な斜め方向の角度である４５゜とを２分する６７．５゜よりも最大傾斜が小さければ、緩傾斜に該当する。
【０００９】
このような薬袋にあっては、全体形状が矩形になっているので、縦でも横でも更には途中で向きを変えても同じ様に紙送りできる。また、指ぬき用切欠が後退端に形成され、それが縁より内側に位置しているうえ、その切欠の始点部が、緩傾斜で始まり、直角とは異なる形状になっているため、何れの向きに紙送りされても、捲れ難くなっている。
このように薬袋の全体形状に加えて開口部の指ぬき用切欠の形状をも工夫したことにより、抗接着層等のコストアップ要因を付加しないでも、薬袋は縦横いずれの向きの紙送りにも適合することとなる。
したがって、この発明によれば、多方向に送れる薬袋を安価に実現することができる。
【００１０】
【発明の実施の形態】
このような解決手段で達成された本発明の薬袋について、これを実施するための具体的な形態を、以下の第１，第２実施例により説明する。
図１，図２に示した第１実施例は、上述の解決手段を具現化したものであり、図３の第２実施例は、その変形例である。
【００１１】
【第１実施例】
本発明の薬袋の第１実施例について、その具体的な構成を、図面を引用して説明する。図１（ａ）は、薬袋全体の背面図であり、同図（ｂ）は、その一部の拡大図である。
【００１２】
この薬袋１０は、表側の紙状体１５と裏側の紙状体１６とが連続している一体のものからなり、ロール紙等を縦長の長方形に切り離した一枚の紙状体を折り曲げるとともに糊付けして作られる。その切り離しの際、両端とも基本的には真っ直ぐに切断されるが、一方の端１６ａ（後退端）の中央部分には指先より大きめの切欠１６ｂ（指ぬき用切欠）も形成される。他方の端１５ａ（前進端）は真っ直ぐである。また、折り曲げるときに、紙状体１５の方が紙状体１６より数ｍｍ長くなるようにしながら、折り曲げ部１５ｂで二つ折りして、紙状体１５，１６を重ね合わせる。そして、右縁部１２と左縁部１４とを糊１７で貼ると、薬袋１０が出来上がる。
【００１３】
これによって、薬袋１０は、全体形状が矩形のものとなる。また、底部１３の１辺が接着や溶着など行わなくても折り曲げ部１５ｂにて塞がれているので、縁部１２，１４の２辺が糊付けにて塞がれると、残った１辺が開口部１１となる。さらに、その開口部１１において、裏側の後退端１６ａが表側の前進端１５ａよりも数ｍｍ内側へ後退させられた状態になり、その後退端１６ａに切欠１６ｂを形成したものとなる。
【００１４】
切欠１６ｂは、従来は半円状やＵ字状であったカッター刃の曲がりを緩める等のことで、緩傾斜で始まるものとなっている。具体的には、切欠１６ｂの口幅すなわち両始点部１６ｃ間の距離が指先のそれよりも広がり、始点部１６ｃにおいて後退端１６ａから切欠１６ｂに進行するときの方向転換角度である傾斜θが４５゜になっている。傾斜θは、厳密に４５゜である必要はなく、それに近い４０゜〜５０゜が望ましいが、３０゜〜６０゜程度でも良い。
【００１５】
この第１実施例の薬袋について、その使用態様及び動作を、図面を引用して説明する。図２は、その薬袋１０に薬袋印刷装置２０で印刷しているところの平面図である。
【００１６】
この薬袋印刷装置２０には、開口部１１を前に向けて薬袋１０の印刷を行うプリンタ２１と、開口部１１を左に向けて薬袋１０の印刷を行うプリンタ２２と、開口部１１を右に向けて薬袋１０の印刷を行うプリンタ２３とが設けられている。そして、各プリンタ２１〜２３から排出された薬袋１０，１０，１０は、薬袋移送経路２４を移送されて収集される。その際、薬袋移送経路２４の合流点で薬袋１０の移送方向が縦から横へ又は横から縦に切り替えられるが、薬袋１０の全体形状が矩形になっているうえ、縁には切欠等が無いので、移送が円滑に行われる。
【００１７】
また、プリンタで印刷するときの紙送りも向きに関係なく円滑に行われる。すなわち、薬袋１０の４辺のうちどれを基準にして紙送りしても、基準が直線なので、汎用のプリンタでも適切に紙送りがなされる。しかも、切欠１６ｂが端より内側に位置しているうえ、その始点部１６ｃが直角より広い鈍角になっているので、縦送り時でも、横送り時でも、多少であれば曲げられたときでも、始点部１６ｃの捲れるおそれは無い。
【００１８】
【第２実施例】
図３に背面図および拡大図を示した本発明の薬袋３０が上述した第１実施例の薬袋１０と相違するのは、紙状体１５，１６が別物になった点と、始点部１６ｃが丸く面取りされた点である。
紙状体１５，１６が別物なので、例えば一方に印刷容易な紙を採用し他方に透明なプラスチックフィルムを採用しても良い。また、縁部１２，１４に加えて、底部１３も、糊１７で接着される。
【００１９】
この場合、指ぬき用切欠１６ｂの始点部１６ｃに小さな半径Ｒの面取りが施されて始点部１６ｃが広がっているので、面取り（Ｒ）部分を通過して切欠１６ｂの内側に入ったところの傾きを傾斜θとする。そうすると、その傾斜θが６７．５゜以下になっており、この場合も、薬袋３０の移送は縦横いずれの向きでも円滑に行われる。
【００２０】
【その他】
なお、上記の実施例では、複数台のプリンタが用いられていたが、プリンタが一台の場合でも、設置場所によって用紙送りの向きが異なったり、印刷後の搬送経路が曲折したりすることがあるので、本発明は有用であり有効である。
また、薬袋１０，３０に対する印刷や移送の妨げにならなければ、紙状体１５，１６の何れか一方または双方に空気抜き用の小孔を形成しても良く、その形成は穿孔に限らず例えば底部１３やその近くの縁部で糊１７を不連続に塗る等のことでも行える。
【００２１】
【発明の効果】
以上の説明から明らかなように、本発明の薬袋にあっては、全体形状に加えて開口部の指ぬき用切欠の形状をも工夫したことにより、多方向に送れる薬袋を安価に実現することができたという有利な効果が有る。
【図面の簡単な説明】
【図１】本発明の薬袋の第１実施例について、（ａ）は薬袋全体の背面図であり、（ｂ）はその一部の拡大図である。
【図２】薬袋印刷装置の要部の平面配置図である。
【図３】本発明の薬袋の第２実施例について、（ａ）は薬袋全体の背面図であり、（ｂ）はその一部の拡大図である。
【符号の説明】
１０    薬袋
１１        開口部
１２        右縁部
１３        底部
１４        左縁部
１５    紙状体（表側、正面側）
１５ａ      前進端（他方の紙状体の端、紙状体の他方の端）
１５ｂ      折り曲げ部
１６    紙状体（裏側、背面側）
１６ａ      後退端（一方の紙状体の端、紙状体の一方の端）
１６ｂ      切欠（指ぬき用切欠）
１６ｃ          始点部（切欠の始点部）
１７    糊（接着剤、貼付剤）
θ      傾斜（直進方向からの傾き）
２０    薬袋印刷装置
２１，２２，２３  プリンタ
２４              薬袋移送経路
３０    薬袋
【図１】
2004149204.tif 000003
【図２】
2004149204.tif 000004
【図３】
2004149204.tif 000005